【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
核磁気共鳴サンプル流体を保持するための核磁気共鳴フローセルアセンブリであって、
核磁気共鳴サンプル流体を保持するためのフローセルであって、外側表面と内側表面とを備え、前記内側表面が当該サンプル流体に接触するフローセルと、
このフローセルに流体的にアクセスできるようにするためのサンプルフロー管と、
このサンプルフロー管を前記フローセルに流体的に接続するためのコネクターと、
前記コネクターの表面に前記フローセルの側面を固定するフローセル接着剤と、
前記フローセルの前記表面と前記コネクターの前記表面との間に延びており、前記フローセルの内部表面から前記フローセル接着剤を隔離するために配置されて、それにより、前記接着剤が当該サンプル流体との接触から隔離される内部フローセル接着剤隔離障壁とを備えた核磁気共鳴フローセルアセンブリ。
【請求項２】
前記内部フローセル接着剤隔離障壁がＯリングを含む請求項１に記載のフローセルアセンブリ。
【請求項３】
前記内部フローセル接着剤隔離障壁が複数の環状の隆起を含む請求項１に記載のフローセルアセンブリ。
【請求項４】
前記複数の環状の隆起は、前記コネクターと一体化して形成されている請求項３に記載のフローセルアセンブリ。
【請求項５】
前記フローセルの前記外側表面と前記コネクターの前記内表面との間に延びており、前記フローセルの外部環境から前記フローセル接着剤を隔離し、かつ前記コネクターに対して前記フローセルを中心に配置させるように位置している外部フローセル接着剤隔離障壁をさらに含む請求項１に記載のフローセルアセンブリ。
【請求項６】
前記コネクターが、
前記フローセルの末端領域に適合するように寸法を合わせられたフローセルコネクターボアを囲む側面の壁であって、前記フローセル接着剤が、前記フローセルコネクターボアに沿って位置している側面の壁と、
前記フローセルが前記フローセルコネクターボア内に位置しているとき、前記フローセルを長手方向に規制する環状ストップと、を含む請求項１に記載のフローセルアセンブリ。
【請求項７】
前記コネクターの内表面に前記サンプルフロー管の外側面を固定するサンプルフロー管接着剤と、
前記サンプルフロー管の前記外側面と前記コネクターの前記内表面との間に延びており、前記サンプルフロー管の内部から前記サンプルフロー管接着剤を隔離するように位置している内部サンプルフロー管接着剤隔離障壁とをさらに含む請求項１に記載のフローセルアセンブリ。
【請求項８】
前記コネクターが、前記コネクターの外側表面からフローセルコネクターボアに沿った前記コネクターの内表面に延びている半径方向の接着材挿入チャネルを含む請求項１に記載のフローセルアセンブリ。
【請求項９】
前記コネクターが、前記フローセルと前記コネクターとの間の接着剤インターフェースに沿って延びる接着材保持リザーバを含む請求項１に記載のフローセルアセンブリ。
【請求項１０】
前記接着材保持リザーバが環状である請求項９に記載のフローセルアセンブリ。
【請求項１１】
前記接着材保持リザーバが螺旋状である請求項９に記載のフローセルアセンブリ。
【請求項１２】
前記コネクターが、前記コネクターに沿って規定された複数の縦方向のチャネルであって、温度制御ガスが前記コネクターに沿って流れられるようにする複数の縦方向のチャネルを含む請求項１に記載のフローセルアセンブリ。
【請求項１３】
核磁気共鳴サンプル流体を保持するための核磁気共鳴フローセルアセンブリであって、
核磁気共鳴サンプルを保持するためのフローセルであって、当該サンプル流体に接触する内側表面を備えたフローセルと、
このフローセルに流体的にアクセスできるようにする入口および出口サンプルフロー管と、
１対のコネクターであって、前記フローセルに前記入口サンプルフロー管を接続するための第１のコネクターと、前記フローセルに前記出口サンプルフロー管を接続するための第２のコネクターとを含み、当該１対のコネクターの各々が接着剤領域によって前記フローセルに固定されており、前記フローセルと当該１対のコネクターの各々との間に延びている環状の接着材隔離障壁によって前記接着剤領域が前記フローセルの内部表面から隔離されており、前記接着剤が当該サンプル流体との接触から隔離される、１対のコネクターとを備えた核磁気共鳴フローセルアセンブリ。
【請求項１４】
前記接着材隔離障壁がＯリングを含む請求項１３に記載のフローセルアセンブリ。
【請求項１５】
前記接着材隔離障壁が複数の環状の隆起を含む請求項１３に記載のフローセルアセンブリ。
【請求項１６】
核磁気共鳴サンプル流体を保持するための核磁気共鳴フローセルアセンブリを備えた核磁気共鳴プローブであって、
前記核磁気共鳴フローセルアセンブリが、
核磁気共鳴サンプルを保持するためのフローセルであって、当該サンプル流体に接触する内側表面を備えたフローセルと、
このフローセルに流体的にアクセスできるようにする入口および出口サンプルフロー管と、
１対のコネクターであって、前記フローセルに前記入口サンプルフロー管を接続するための第１のコネクターと、前記フローセルに前記出口サンプルフロー管を接続するための第２のコネクターとを含み、当該１対のコネクターの各々が接着剤領域によって前記フローセルに固定されており、前記フローセルと当該１対のコネクターの各々との間に延びている環状の接着材隔離障壁によって前記接着剤領域が前記フローセルの内部表面から隔離されており、ぞれにより、前記接着剤が当該サンプル流体との接触から隔離される、１対のコネクターと、
当該フローセルアセンブリに結合され、当該サンプルの核磁気共鳴測定を行うための一組の核磁気共鳴コイルとを備えた、核磁気共鳴プローブ。
【請求項１７】
核磁気共鳴フローセルアセンブリに核磁気共鳴サンプル流体を挿入する工程と、
当該サンプル流体がフローセル中に位置している間に、当該サンプル流体に対して核磁気共鳴測定を行なう工程とを含む核磁気共鳴方法であって、
前記核磁気共鳴フローセルアセンブリが、
核磁気共鳴サンプルを保持するための前記フローセルであって、当該サンプル流体に接触する内側表面を備えたフローセルと、
このフローセルに流体的にアクセスできるようにする入口および出口サンプルフロー管と、
１対のコネクターであって、前記フローセルに前記入口サンプルフロー管を接続するための第１のコネクターと、前記フローセルに前記出口サンプルフロー管を接続するための第２のコネクターとを含み、当該１対のコネクターの各々が接着剤領域によって前記フローセルに固定されており、前記フローセルと当該１対のコネクターの各々との間に延びている環状の接着材隔離障壁によって前記接着剤領域が前記フローセルの内側表面から隔離され、それにより、前記接着剤が当該サンプル流体との接触から隔離される１対のコネクターとを含む方法。
【請求項１８】
核磁気共鳴プローブが、核磁気共鳴磁石内に位置しているときに、前記フローセルアセンブリを、前記核磁気共鳴プローブ内へと、この核磁気共鳴プローブの中央ボアを介して挿入する工程をさらに含む請求項１７に記載の方法。
【請求項１９】
前記核磁気共鳴プローブが、前記核磁気共鳴磁石内に位置しているときに、前記フローセルアセンブリを、前記核磁気共鳴プローブから、前記中央ボアを介して取り出す工程をさらに含む請求項１８に記載の方法。
【請求項２０】
核磁気共鳴サンプル流体を保持するための核磁気共鳴フローセルアセンブリであって、
核磁気共鳴サンプル流体を保持するためのフローセルであって、当該サンプル流体に接触する内側表面を備え、このフローセルの外側面に沿った第１の螺旋ねじ山を有するフローセルと、
前記フローセルに流体的にアクセスできるようにするためのサンプルフロー管と、
前記フローセルに前記サンプルフロー管を流体的に接続するためのコネクターであって、前記フローセルの末端領域に適合するように寸法を合わせられているフローセルコネクターボアを含み、前記フローセルに前記コネクターを固定するための第２の螺旋ねじ山であって、前記第１の螺旋ねじ山と適合する第２の螺旋ねじ山を有するコネクターと、
前記フローセルの横断端面と前記コネクターの横断表面との間に位置するシーリング障壁であって、前記フローセルと前記コネクターとの間のインターフェースを密閉するために、前記フローセルと前記コネクターとが互いに固定されている場合に、前記フローセルと前記コネクターとの間で押圧され、それにより、接着剤が当該サンプル流体との接触から隔離されるシーリング障壁とを含む、
核磁気共鳴フローセルアセンブリ。
【請求項２１】
前記シーリング障壁がＯリングを含む請求項２０に記載のフローセルアセンブリ。
【請求項２２】
前記シーリング障壁がフェルールを含む請求項２０に記載のフローセルアセンブリ。
【請求項２３】
前記コネクタが、前記第２の螺旋ねじ山の少なくとも一部に沿って、前記フローセルを横から囲む請求項２０に記載のフローセルアセンブリ。
【請求項２４】
前記フローセルが、前記第１の螺旋ねじ山の少なくとも一部に沿って、前記コネクタを横から囲む請求項２０に記載のフローセルアセンブリ。
【請求項２５】
前記コネクターが、コネクター本体およびこのコネクター本体に固定された別個の管状の外延部を含む請求項２０に記載のフローセルアセンブリ。
【請求項２６】
前記管状の外延部が、前記管状の外延部の遠位端部にテーパー状の外側表面を有する請求項２５に記載のフローセルアセンブリ。
【請求項２７】
前記コネクターが、前記コネクターの外側表面に沿って規定された複数の縦方向のチャネルであって、温度制御ガスが前記コネクターに沿って流れられるようにする複数の縦方向のチャネルを含む請求項２０に記載のフローセルアセンブリ。
【請求項２８】
核磁気共鳴サンプル流体を保持するための核磁気共鳴フローセルアセンブリを備えた核磁気共鳴プローブであって、
前記核磁気共鳴フローセルアセンブリが、
核磁気共鳴サンプル流体を保持するためのフローセルであって、当該サンプル流体に接触する内側表面を備え、このフローセルの外側面に沿った第１の螺旋ねじ山を有するフローセルと、
前記フローセルに流体的にアクセスできるようにするためのサンプルフロー管と、
前記フローセルに前記サンプルフロー管を流体的に接続するためのコネクターであって、前記フローセルの末端領域に適合するように寸法を合わせられているフローセルコネクターボアを含み、前記フローセルに前記コネクターを固定するための第２の螺旋ねじ山であって、前記第１の螺旋ねじ山と適合する第２の螺旋ねじ山を有するコネクターと、
前記フローセルの横断端面と前記コネクターの横断表面との間に位置するシーリング障壁であって、前記フローセルと前記コネクターとの間のインターフェースを密閉するために、前記フローセルと前記コネクターとが互いに固定されている場合に、前記フローセルと前記コネクターとの間で押圧され、それにより、接着剤が当該サンプル流体との接触から隔離されるシーリング障壁と、
当該フローセルアセンブリに結合され、当該サンプルの核磁気共鳴測定を行うための一組の核磁気共鳴コイルとを備えた、核磁気共鳴プローブ。
【請求項２９】
核磁気共鳴サンプルを核磁気共鳴フローセルアセンブリに挿入する工程と、
当該サンプル流体がフローセル中に位置している間に、当該サンプルに対して核磁気共鳴測定を行なう工程とを含む核磁気共鳴方法であって、
前記核磁気共鳴フローセルアセンブリが、
核磁気共鳴サンプルを保持するためのフローセルであって、このフローセルの外側面に沿う第１の螺旋ねじ山を有するフローセルと、
前記フローセルに流体的にアクセスできるようにするサンプルフロー管と、
前記フローセルに前記サンプルフロー管を流体的に接続するためのコネクターであって、前記フローセルの末端領域に適合するように寸法を合わせられているフローセルコネクターボアを含み、前記フローセルに前記コネクターを固定するための第２の螺旋ねじ山であって、前記第１の螺旋ねじ山と適合する第２の螺旋ねじ山を有するコネクターと、
前記フローセルの横断端面と前記コネクターの横断表面との間に位置するシーリング障壁であって、前記フローセルと前記コネクターとの間のインターフェースを密閉するために、前記フローセルと前記コネクターとが互いに固定されている場合に、前記フローセルと前記コネクターとの間で押圧され、それにより、接着剤が当該サンプル流体との接触から隔離されるシーリング壁とを含む方法。
【請求項３０】
核磁気共鳴プローブが、核磁気共鳴磁石内に位置しているときに、前記フローセルアセンブリを、前記核磁気共鳴プローブ内へと、この核磁気共鳴プローブの中央ボアを介して挿入する工程をさらに含む請求項２９に記載の方法。
【請求項３１】
前記核磁気共鳴プローブが、前記核磁気共鳴磁石内に位置しているときに、前記フローセルアセンブリを、前記核磁気共鳴プローブから、前記中央ボアを介して取り出す工程をさらに含む請求項３０に記載の方法。